(57)【要約】【課題】繰り返し通い使用するのに適した形態の弁当容器類を取り扱い、それらを一括して携行し、食べるときは使用容器類と不使用容器類とを適宜に纏め入れて取り扱うのに適したものとする。【解決手段】保形性のある材料よりなり、弁当容器類１０としての、少なくとも飯器１を収容する保温容器２および菜器３、箸入れ４を収容できる容積を有したボックス形状をなし、上下に２分割した容器側５と蓋側６との一側縁５ａ、６ａどうしを、蓋側６が容器側５に対し表裏反転して開閉できるように連結し、蓋側６が開いた反転位置では蓋側６および容器側５双方が接地できる高さ関係として、上記の目的を達成する。【選択図】図１
2011254850.tif 000002
【特許請求の範囲】
【請求項１】
保形性のある材料よりなり、弁当容器類としての、少なくとも飯器を収容する保温容器および菜器、箸入れを収容できる容積を有したボックス形状をなし、上下に２分割した容器側と蓋側との一側縁どうしを、蓋側が容器側に対し表裏反転して開閉できるように連結し、蓋側が開いた反転位置では蓋側および容器側双方が接地できる高さ関係としたことを特徴とする弁当容器セットの通い用ケース。
【請求項２】
保形性のある材料よりなり、弁当容器類としての、少なくとも飯器を収容する保温容器および菜器、箸入れを収容できる容積を有したボックス形状をなし、上下に２分割した容器側と蓋側との一側縁どうしを、蓋側が容器側に対し表裏反転して開閉できるように連結し、蓋側が開いた反転位置では蓋側および容器側双方が接地できる高さ関係とし、表裏反転して開いた蓋側と容器側との対向面間を着脱できるように止着し合う留め具を設けたことを特徴とする弁当容器セットの通い用ケース。
【請求項３】
蓋側を開いた状態の容器側および蓋側の開口縁は、側面視して両者の隣接方向に直線に沿って繋がっている請求項１、２のいずれか１項に記載の弁当容器セットの通い用ケース。
【請求項４】
容器側および蓋側の開口縁は、側面視して容器側から蓋側に低く傾斜した直線に沿って繋がっている請求項３に記載の弁当容器セットの通い用ケース。
【発明の詳細な説明】
【技術分野】
【０００１】
本発明は、弁当容器セットの通い用ケースに関し、詳しくは、飯器、飯器を入れる保温容器、菜器、箸ケースなど弁当容器類がセットになった弁当容器セットを収容して、通勤、通学、行楽などに携行し、繰り返しで通い使用をする弁当容器セットの通い用ケースに関する。
【背景技術】
【０００２】
このような複数の弁当容器をセットにした弁当容器セットを通い使用するのに、従来、下記特許文献１に開示されるような袋物が主流をなしている。この袋物は、上部に紐で絞って閉じる出し入れ口を持ち、高さの低い容器どうしを重ねて、高さの高い容器と横に並べるようにして収容しており、各容器は蓋付きで、汁類の漏れ出しや乾燥の防止、保温性低下の防止が図れて、個人が携行するのに好適である。
【０００３】
一方、下記特許文献２は、浅く、同じ深さの各種容器を縦横に収容する容器側、いわゆる身側と、この容器側に被さって容器を閉じる蓋側とに分かれた樹脂製のハードケースを開示しているが、調理済みの食品を各容器に入れて冷蔵しておき、適宜に配送するためのもので、各容器は蓋無しであり、ハードケースの容器側と蓋側との間に通風口を設けて冷蔵に有利なようにしている。
【０００４】
また、下記特許文献３は、重箱状容器を収容して持ち運べるように折り上げられる厚紙よりなるトレー兼用の弁当容器を開示しており、この弁当容器を展開すると複数の重箱状容器を並べ入れるトレーになる。使用後は焼却などしても環境に悪影響を及ぼさないとしている。
【０００５】
さらに、下記特許文献４は、ご飯用の容器の蓋に、嵌合凹部を複数設けて、それら嵌合凹部におかず用の適宜なサイズ、形状の蓋付き小型容器を組み合わせ選択して連結できる弁当箱に好適な樹脂製の組み合わせ容器を開示している。
【先行技術文献】
【特許文献】
【０００６】
【特許文献１】特開２００７−３１３２１６号公報
【特許文献２】特開２００４−１９６４０６号公報
【特許文献３】実用新案登録第３０４２９６９号公報
【特許文献４】実開平７−１３７３６号公報
【発明の概要】
【発明が解決しようとする課題】
【０００７】
ところで、特許文献１が開示するような通勤、通学、行楽に携行する弁当容器は定形であるが、近時は弁当をできるだけ美味しく食せるように、飯器を入れて保温する保温容器が必須になっているし、汁漏れや乾燥防止、放熱防止といったことから、飯器、菜器、保温容器にはそれぞれを密閉する蓋が必須である。しかも、菜器は異種の惣菜間の汁や臭いなどの相互影響を避けるために最低２つは必要となる。これだけでも、箸入れを加え、弁当容器は９つのパーツの組み合わせとなる。また、マイボトルの普及や市販飲料ボトルが入手しやすくなっている関係から最近省略されがちな汁容器が加われば、総パーツ数は１１個になる。しかも、これらを収容するかさ張りの大きな弁当セット収容袋がある。
【０００８】
弁当を食べる際これらはばらばらになり、片付いたテーブルの上などで食べる場合はまだよいが、職場などの自身の机の上では仕事状態をいちいち片付け、また戻す必要があったりして不便である。また、公園のベンチや車内などでは蓋類、箸入れ、保温容器のといった不使用物の取り扱いが非常に不便になる。また、飯器や２つの菜器もばらばらなため、膝の上で食べるような場合はなお不便である。
【０００９】
特許文献２〜４に開示のハードケース、トレー兼用弁当容器、組み合わせ容器はいずれも、複数の弁当容器をまとめて取り扱える簡易なもので、業者が調理したものを弁当として販売し、使い捨て使用に供するのには適しているが、通勤、通学、行楽に携行して繰り返し通い使用するのに適した形態をなしていない。
【００１０】
本発明は、このような問題に鑑み、通勤、通学、行楽などに繰り返し通い使用するのに適した形態の弁当容器類を取り扱い、それらを一括して携行し、食べるときは使用容器類と不使用容器類とを適宜に纏め入れて取り扱うのに適した弁当容器セットの通い用ケースを提供することも目的とする。
【課題を解決するための手段】
【００１１】
本発明の弁当容器セットの通い用ケースは、保形性のある材料よりなり、弁当容器類としての、少なくとも飯器を収容する保温容器および菜器、箸入れを収容できる容積を有したボックス形状をなし、上下に２分割した容器側と蓋側との一側縁どうしを、蓋側が容器側に対し表裏反転して開閉できるように連結し、蓋側が開いた反転位置では蓋側および容器側双方が接地できる高さ関係としたことを１つの特徴としている。
【００１２】
このような構成では、蓋側は容器側に対し連結部を中心に開閉されて、弁当容器類を収容した容器側を閉じると、弁当容器類を一括して携行することができる。食事場所にて蓋側を容器側を閉じた位置から、容器側との連結部を中心に表裏を反転して開くと、蓋側は容器側との高さ関係から共に接地させて置くことができる。このような載置状態で容器側に収容している弁当容器類の飯器や菜器を取り出して飯器や菜器を、それらの蓋を取って例えば蓋側に移しながら、飯器の保温容器や飯器の蓋、菜器の蓋を容器側に入れ置くことができる。特に、保温容器は蓋を施蓋することで単一部品として取り扱えるし、保温容器内は飯器の蓋や菜器の蓋を収容する空間として有効利用もできる。最後に、箸入れから箸を出せば食事を進めることができる。
【００１３】
本発明の弁当容器セットの通い用ケースは、保形性のある材料よりなり、弁当容器類としての、少なくとも飯器を収容する保温容器および菜器、箸入れを収容できる容積を有したボックス形状をなし、上下に２分割した容器側と蓋側との一側縁どうしを、蓋側が容器側に対し表裏反転して開閉できるように連結し、蓋側が開いた反転位置では蓋側および容器側双方が接地できる高さ関係とし、表裏反転して開いた蓋側と容器側との対向面間を着脱できるように止着し合う留め具を設けたことを別の特徴としている。
【００１４】
このような構成では、１つの特徴の場合に加え、さらに、蓋側が表裏反転して開かれると、容器側との対向面間が留め具によって着脱できるように止着されるので、蓋側が容器側に対し双方が接地できる形態で一体に取り扱えるし、それらの接地状態がより安定する。
【００１５】
上記において、さらに、蓋側を開いた状態の容器側および蓋側の開口縁は、側面視して両者の隣接方向に直線に沿って繋がっているものとすることができる。
【００１６】
このような構成では、上記に加え、さらに、蓋側を開いた状態の容器側および蓋側の開口縁が側面視して直線に沿って繋がり相互間に段差がないので、弁当容器類の容器側から蓋側への移し替えや、逆方向の移動、容器側から蓋側や逆方向へのアクセスによるご飯や菜類の取り出しや取り出し後の逆方向への持ち運びに際し、一方の開口縁が隠れたりすることがない。
【００１７】
上記において、さらに、容器側および蓋側の開口縁は、側面視して容器側から蓋側に低く傾斜した直線に沿って繋がっているものとすることができる。
【００１８】
このような構成では、上記に加え、さらに、容器側から蓋側に低く傾斜した条件にて直線に沿っての双方開口縁の繋がりを満足して、容器側が深く蓋側が浅くなる関係を実現し、飯器や菜器を浅い蓋側に入れてご飯や菜類を取るのにアクセスしたり持ち運んだり、飯器などを持ち上げたりしながら、食事を進めやすくし、また、深い容器側は深さを利用してより多くの不使用の弁当容器類を収容しやすくするなど、深さの違いによる使い分けができる。
【発明の効果】
【００１９】
本発明の１つの特徴の弁当容器セットの通い用ケースによれば、丸洗いしながら汁などの漏れ出しやご飯が冷めないで繰り返し使用できる弁当容器類を容器側に収容して蓋側で閉じ、一括して通勤、通学、行楽などに繰り返し携行して通い使用することができる。食事場所では、蓋側を開けて容器側と共に、テーブルや平らなベンチの上はもとより、少々散らかった机の上、少々凹凸や傾斜のある膝の上、地面やその上に置いた敷物の上などに安定して、また他を汚すようなことなく置いて食事に供することができる。この際、容器側から弁当容器類の食事に使用する飯器や菜器を取り出して蓋を取り、例えば蓋側に移しながら、それら取った蓋や保温容器などの不使用弁当容器類を容器側に入れ置いて、使用弁当容器類および不使用弁当容器類共に、容器側および蓋側に一纏めに収容し散らばらず安定した状態にし、最後に、箸入れから箸を出して箸入れを容器側に収容すれば、連結された容器側、蓋側による限られた比較的狭いスペース内で食事を進められる。特に、保温容器は蓋を施蓋することで単一部品として取り扱えるし、保温容器内は飯器の蓋や菜器の蓋を収容する空間として有効利用もできる。
【００２０】
本発明の別の特徴の弁当容器類の通い用ケースによれば、１つの特徴の場合に加え、さらに、表裏反転して開かれた蓋側は、容器側との対向面間で留め具によって着脱できるように止められて双方が接地できる形態で一体に取り扱えるし、それらの接地状態がより安定するので、かなり凸凹な接地条件にても容器側および蓋側はぐらついたりせず安定して食事をすることができる。
【００２１】
上記に加え、さらに、蓋側を開いた状態の容器側および蓋側の開口縁が側面視して直線に沿って繋がり相互間に段差がなく、容器側と蓋側との間の弁当容器類の移し替えや、ご飯や菜類の取り出すためのアクセスや取り出し後の逆方向への持ち運びに際し、一方の開口縁が隠れて死角になり、作業を失敗するようなことを防止できる。
【００２２】
上記に加え、さらに、容器側から蓋側に低く傾斜した条件にて直線に沿っての双方開口縁の繋がりを満足して、容器側が深く蓋側が浅くなる関係を実現し、深さの違いによる使い分けができ、さらに食事を進めやすいものとなる。
【図面の簡単な説明】
【００２３】
【図１】本発明の実施の形態に係る弁当容器セットの通い用ケースの１つの具体例を示す使用状態の断面図。
【図２】同通い用ケースの外観斜視図。
【図３】同通い用ケースの正面図。
【図４】同通い用ケースの左側面図。
【図５】同通い用ケースの右側面図。
【図６】同通い用ケースの背面図。
【図７】同通い用ケースの平面図。
【図８】同通い用ケースの底面図。
【図９】同通い用ケースの食事時の使用例を示す斜視図。
【発明を実施するための形態】
【００２４】
本発明の実施の形態に係る弁当容器セットの通い用ケースの１つの具体例につき、図１〜図９を参照しながら説明し、本発明の理解に供する。以下の説明は本発明の具体例であって、特許請求の範囲の記載事項を限定するものではない。
【００２５】
本実施の形態に係る図示例の弁当容器セットの通い用ケース１００は、図１に示すように、保形性のある材料よりなり、弁当容器類１０としての、少なくとも飯器１を収容する保温容器２および菜器３、箸入れ４を収容できる容積を有したボックス形状をなし、上下に２分割した容器側５と蓋側６との一側縁５ａ、６ａどうしを、蓋側６が容器側５に対し表裏反転して開閉できるように連結し、蓋側６が開いた反転位置では蓋側６および容器側５双方が接地できる高さ関係としている。
【００２６】
これにより、蓋側６は容器側５に対し連結部７を中心に図１〜図８に示す閉じ状態と、図９に示す開き状態との間で開閉されて、弁当容器類１０を収容した容器側５を図１に示すように閉じると、弁当容器類１０を一括して携行することができる。食事場所にて蓋側６を容器側５を閉じた図４に示す位置から、容器側５との連結部７を中心に図９に示すように表裏を反転して開くと、蓋側６は容器側５との高さ関係から共に接地面１１に接地させて置くことができる。このような載置状態で容器側５に収容している弁当容器類１０の飯器１や菜器３を取り出して飯器１や菜器３を、それらの蓋１ａ、３ａ、を取って例えば蓋側６に移しながら、飯器１の保温容器２や飯器１の蓋１ａ、菜器３の蓋３ａを容器側５に入れ置くことができる。特に、保温容器２は蓋２ａをすることで単一部品として取り扱えるし、保温容器２内は飯器１の蓋１ａや菜器３の蓋３ａを収容する空間として有効利用もできる。最後に、箸入れ４から箸９を出せば食事を進めることができる。
【００２７】
したがって、丸洗いしながら汁などの漏れ出しやご飯が冷めないで繰り返し使用できる弁当容器類１０を容器側５に収容して蓋側６で閉じ、一括して通勤、通学、行楽などに繰り返し携行して通い使用することができる。食事場所では、蓋側６を開けて容器側５と共に、テーブルや平らなベンチの上はもとより、少々散らかった机の上、少々凹凸や傾斜のある膝の上、地面やその上に置いた敷物の上などに安定して、また他を汚すようなことなく置いて食事に供することができる。この際、容器側５から弁当容器類１０の食事に使用する飯器１や菜器３を取り出して蓋１ａ、３ａを取り、例えば蓋側６に移しながら、それら取った蓋１ａ、２ａや保温容器２などの不使用弁当容器類を容器側５に入れ置いて、使用弁当容器類および不使用弁当容器類共に、容器側５および蓋側６に一纏めに収容し散らばらず安定した状態にし、最後に、箸入れ４から箸９を出して箸入れ４を容器側５に収容すれば、連結された容器側５、蓋側６による限られた比較的狭いスペース内で、他に邪魔になり難く、かつ安定して、食事を進められる。特に、保温容器２は蓋２ａを施蓋することで単一部品として取り扱えるし、保温容器２内は飯器１の蓋１ａや菜器３の蓋３ａを収容する空間として有効利用もできる。
【００２８】
また、表裏反転して開いた蓋側６と容器側５との対向面６ｂ、５ｂ間を着脱できるように止着し合う図４〜図８に例示するような留め具１２を設けている。これにより、蓋側６が表裏反転して図９に示すように開かれると、容器側５との対向面５ｂ、６ｂ間が留め具１２によって着脱できるように止着されるので、蓋側６が容器側５に対し双方が接地できる図９に示す形態で一体に取り扱えるし、それらの接地状態や弁当容器類１０の保持状態がより安定するので、かなり凸凹な接地条件にても容器側５および蓋側６はぐらついたりせず安定して食事をすることができる。
【００２９】
また、蓋側６が開いた状態の容器側５および蓋側６の開口縁は、側面視して図９に示すように両者の隣接方向に直線Ａに沿って繋がったものとしている。これにより、蓋側６が開いた状態の容器側５および蓋側６の開口縁が側面視して直線Ａに沿って繋がり相互間に段差がないので、弁当容器類１０の容器側５から蓋側６への移し替えや、逆方向の移動、容器側５から蓋側６やその逆方向へのアクセスによるご飯や菜類の取り出しや取り出し後の逆方向への持ち運びに際し、一側縁５ａ、６ａの一方が隠れて死角になり、作業を失敗するようなことを防止できる。
【００３０】
しかも、容器側５および蓋側６の開口縁は、それらの接地ラインＢに対し、側面視して容器側５から蓋側６に低く傾斜した直線Ａに沿って繋がるようにしている。これにより、容器側５から蓋側６に低く傾斜した条件にて直線Ａでの双方開口縁の繋がりを満足して、容器側５が深く蓋側６が浅くなる関係を実現し、飯器１や菜器３を浅い蓋側６に入れてご飯や菜類を取るのにアクセスしたり持ち運んだり、飯器１などを持ち上げたりしながら、食事を進めやすくし、また、深い容器側５は深さを利用してより多くの不使用の弁当容器類１０を収容しやすくするなど、深さの違いによる使い分けができ、さらに食事を進めやすいものとなる。
【００３１】
ここで、蓋側６が開いた状態の容器側５および蓋側６の双方が設置できるようにするには、図４、図５に示すように、それらの一側縁５ａ、６ａから接地時の底部５ｃ、６ｃまでの高さを等しくすることが必須になる。また、この関係を満足して容器側５および蓋側６の開口縁は、それらの接地ラインＢに対し、側面視して容器側５から蓋側６に低く傾斜した直線Ａに沿って繋がるようにするには、図４、図５に示す一側縁５ａ、６ａの合わせ面から蓋側６に向け低くなるように傾斜させることになる。
【００３２】
さらに詳述すると、容器側５および蓋側６は共に硬質な樹脂成形品よりなり、表面は布状の地模様が形成され、内面は布地１３を内張りして柔らかい手触りに仕上げている。布地１３は容器側５および蓋側６の開口縁の外側まで巻き付け、線ファスナー１４の務歯を持った基片１４ａを巻き込んで縫合し容器側５および蓋側６の開口縁に止着している。線ファスナー１４は図２、図３に示す２つのスライダー１５、１５によって両側の務歯を噛み合わせて容器側５および蓋側６を閉じ状態に連結し、弁当容器類１０を収容して一括に持ち運び携行できるようにする。また、２つのスライダー１５、１５によって務歯の噛み合わせを解除し、蓋側６が容器側５に対して開閉できるようにする。しかし、容器側５および蓋側６を閉じた状態は、結束バンドの装着によっても保持できるので、閉じ状態保持の手段は特に問うものではなく、バックルなどの連結具、点ファスナー、面ファスナーなどを利用して連結する連結帯を採用することもできる。さらに、蓋側６には線ファスナー１４の基片１４ａの縫合を利用して両端を止着した、嵩張らない手掛けベルト１６を装着して、通いケース１００単体での持ち運びや携行に便利にしてある。また、容器側５および蓋側６は丸洗いできるのがよく、しかも、表裏面は汚れが沈着しない素材で形成されるのが好適である。
【００３３】
容器側５および蓋側６の一側縁５ａ、６ａ間の連結部７も、線ファスナー１４の基片１４ａの縫合を利用して容器側５および蓋側６の双方に両端部を止着した心材入りで耐屈曲性や耐引っ張り性に優れるが柔軟性のある連結生地７ａによって連結しているが、ヒンジ軸による連結でもよいし、樹脂ヒンジ部とすることもできる。
【００３４】
蓋側６が開いた状態の容器側５および蓋側６の対向面５ｂ、６ｂ間を止着する留め具１２は雌雄嵌合方式の点ファスナーとしてあるが、割ればねタイプ、丸ばねタイプ、２本ばねタイプ、１本ばねタイプ、プラスチックタイプなどその種類は問わない。しかし、これらは雌雄嵌合部を嵌合させる圧着操作が必要になるので、止着が容易な面ファスナーとすることもできるし、磁気吸着を利用したマグネットタイプとすれば止着が自動的に行われるし、止着解除も蓋側６を容器側５から引き離すことで容易に行える。
【００３５】
菜器３は異種の惣菜間の汁や臭いなどの相互影響を避けるために、図示例では２つを採用している。これに対応して、通い用ケース１００は、図１に示すように２つ重ねにした菜器３、３を、飯器１を収容した保温容器２と、横並びにして箸入れ４と共に収容するようにしてある。この結果、通い用ケース１００は菜器３、３と保温容器２との横並び方向が長手方向となる図２に示すような丸みのあるほぼ直方体をなす形態をなし、高さ１に対して長手方向が２弱となる寸法比率となっている。また、幅は長手方向２に対してほぼ１となる寸法比率となっている。箸入れ４は図１では菜器３、３と保温容器２が横並びになったうえに載置しているが、これら菜器３、３と保温容器２と通い用ケース１００の丸みのある周壁との間のデッドスペースに収容するようにもできる。なお、図９での図示例では、蓋側６に１つの菜器３と飯器１とを横並びに収容し、今１つの菜器３を容器側５の片側に収容し、容器側５の空きスペースや保温容器２内を利用して食事に使用しない弁当容器類を収容するようにしている。
【００３６】
飯器１は硬質な樹脂成形品であり、硬質で断熱材２１を収容するなどした断熱蓋１ａをヘリコイド２２による係合構造で密閉されるようにしている。保温容器２は金属製の真空二重容器として、かさ低いが断熱性の高いものとし、開口部の外まわりに無理嵌め部２３にて無理嵌めし装着した硬質の樹脂よりなる肩部材２４を設けて、この肩部材２４に硬質な樹脂よりなる蓋２ａをねじ部２５で着脱できるように閉じ、保温容器２および蓋１ａの断熱構造、保温容器および蓋２ａと飯器１および蓋１ａ間での空気断熱構造、にてご飯を保温し、通い使用上の時間が経っての食事でも温かなご飯が食べられるようにする。菜器３は、硬質な樹脂成形品とし、蓋３ａは軟質な樹脂成形品として硬質な菜器３のフランジ付き口縁３ｂに被さって密着するように弾性嵌合し、汁や臭いが漏れ出るのを防止している。箸入れ４は身とこれを着脱できるように施蓋する蓋との組み合わせ例を示したが、これに限られることはなく、蓋が身側に樹脂ヒンジ部で開閉できるように連結されたもの、蓋無しのものなども採用することができる。
【産業上の利用可能性】
【００３７】
本発明は、多数の弁当容器類を収容して携行し、通い使用するのに実用でき、多数の弁当容器類の食事に使用するもの、しないものを含め一纏めに保持して少々凸凹な場所へも安定に接地させて狭いスペースにて食事できるようにする。
【符号の説明】
【００３８】
１  飯器
１ａ  蓋
２  保温容器
２ａ  蓋
３  菜器
３ａ  蓋
４  箸入れ
５  容器側
６  蓋側
５ａ、６ａ  一側縁
７  連結部
９  箸
１０  弁当容器類
１１  接地面
１２  留め具
１４  線ファスナー
【図１】
2011254850.tif 000003
【図２】
2011254850.tif 000004
【図３】
2011254850.tif 000005
【図４】
2011254850.tif 000006
【図５】
2011254850.tif 000007
【図６】
2011254850.tif 000008
【図７】
2011254850.tif 000009
【図８】
2011254850.tif 000010
【図９】
2011254850.tif 000011